(57)【要約】【課題】水面の波紋による影響を抑えて、測定精度を高めることが可能な水深測定装置を提供する。【解決手段】下端面２ａを水深の測定面にし、この測定面の高さを段階的に変えた複数の検知部２を有する水深測定装置であり、その複数の検知部２の測定面の周囲に水面ｍの波紋を遮るための保護カバー６を配置する。【選択図】図２
2004333180.tif 000002
【特許請求の範囲】
【請求項１】
下端面を水深の測定面にし、該測定面の高さを段階的に変えた複数の検知部を有する水深測定装置において、前記複数の検知部の測定面の周囲に水面の波紋を遮るための保護カバーを配置した水深測定装置。
【請求項２】
前記検知部を下端面を粗面に形成した透明の柱状体から構成し、該柱状体を下端を測定の基準点（０）とした脚部を取り付けた透明の支持体に吊設し、前記保護カバーを筒体から構成して前記支持体に前記複数の検知部を囲むように設けた請求項１に記載の水深測定装置。
【請求項３】
前記検知部を下端面を粗面に形成した透明の柱状体から構成し、該柱状体を透明の支持体に吊設し、前記保護カバーを筒体から構成して前記支持体に前記複数の検知部を囲むように設けると共に、前記検知部の内の最も浅い水深を測定する測定面から該測定面が測定する水深の距離だけ延在させ、前記保護カバーの下端を測定の基準点（０）とし、該保護カバーの下端部に前記保護カバーに囲まれた空間に水が浸入可能な切欠き部を形成した請求項１に記載の水深測定装置。
【請求項４】
前記支持体と保護カバーの少なくとも一方に前記保護カバーに囲まれた空間に開口する連通部を形成した請求項２または３に記載の水深測定装置。
【請求項５】
前記検知部の下端面を凸状面に形成した請求項１，２，３または４に記載の水深測定装置。
【請求項６】
前記水深測定装置を配置した際に該装置の水平度を調べる水準器を有する請求項１，２，３，４または５に記載の水深測定装置。
【発明の詳細な説明】
【０００１】
【発明の属する技術分野】
本発明は、水深測定装置に関し、更に詳しくは、水面の波紋による影響を無くして測定精度を高めることができる水深測定装置に関する。
【０００２】
【従来の技術】
従来、路面上の水膜厚さ（水深）を測定する装置として、例えば、粗面にした下端面を水深を測定する測定面に形成し、該測定面の高さを段階的に変えた複数の検知部をスリットを介して透明体に形成した水深測定装置が提案されている（例えば、特許文献１参照）。
【０００３】
粗面加工した測定面が水に接触すると、光の透過度が変化して透明体の見え方が変わる原理を利用し、水が接触した検知部を見つけることで、水深を測定できるようにしている。
【０００４】
【特許文献１】
特開平７−１７４５０４号公報
【０００５】
【発明が解決しようとする課題】
しかしながら、上述した装置では、風などにより水面に波紋が生じた際に測定面に水が付着すると、表面張力により測定面の粗面凹部に水が付着した状態が維持され、検知部の光の透過度が変化する。そのため、実際にはそれより浅い水深であるにもかかわらず、深い水深を示すことになり、水深を正確に測定することができないという問題があった。
【０００６】
本発明の目的は、水面の波紋による影響を抑えて測定精度を高めることが可能な水深測定装置を提供することにある。
【０００７】
【課題を解決するための手段】
上記目的を達成する本発明は、下端面を水深の測定面にし、該測定面の高さを段階的に変えた複数の検知部を有する水深測定装置において、前記複数の検知部の測定面の周囲に水面の波紋を遮るための保護カバーを配置したことを特徴とする。
【０００８】
上述した本発明によれば、水面に波紋が生じた際にその波紋を保護カバーにより遮断し、検知部の測定面に波紋による水の付着を防ぐことができる。従って、水面の波紋の影響を受けることなく測定することができるので、水深の測定精度の向上が可能になる。
【０００９】
【発明の実施の形態】
以下、本発明の構成について添付の図面を参照しながら詳細に説明する。
【００１０】
図１〜３は、本発明の水深測定装置の一例を示し、この水深測定装置は、透明な円盤状の支持体１の外周部に、周方向に沿って所定の間隔で、下端面２ａを水深の測定面にし、その測定面の高さを段階的に変えた複数の検知部２が設けられている。
【００１１】
各検知部２は、下端面２ａを凸状の粗面に形成した透明の断面円形の柱状体３から構成され、その上端部２ｂが支持体１に形成した取り付け孔４に固設され、支持体１から吊設された構造になっている。図示する例では、１６個の検知部２が設けられており、柱状体３の長さを１ｍｍづつ短くして、１ｍｍから１６ｍｍまでの水深を測定できるようにしている。
【００１２】
支持体１の上面１ａには、各柱状体３に隣接して、該柱状体３の測定面により測定できる水深を示す数字Ｎが付してあり、粗面加工した測定面が水に接触すると、光の透過度が変化し、上方から見た透明な柱状体３が暗く見えるようになるが、その暗くなった柱状体３の測定面により測定された水深が数字Ｎを見ることにより、一目で判るようになっている。
【００１３】
検知部２を構成する柱状体３は、下端面２ａを測定面にすることができる形状であれば、上述した断面円形で限定されず、いずれの形状を採用してもよい。
【００１４】
支持体１には、検知部２より内周側に、下端５ａを測定の基準点（０）とする複数（図では３本）の脚部５が取り付けられている。脚部５の下端５ａは、検知部２の内、最も浅い水深を測定する検知部２Ｘの測定面が測定する水深の距離だけ検知部２Ｘの下端より下方に延在している。図示する例では検知部２Ｘの下端より１ｍｍ長くなっており、換言すると、この脚部５の下端５ａを０基準にして検知部２の測定面を段階的に高くしている。
【００１５】
支持体１の外周端部下面には、検知部２の測定面に対して水面ｍの波紋を遮るための保護カバー６が配置されている。保護カバー６は透明な円筒体から構成され、円筒体の上端面を支持体１の外周端部下面に固設することで、全ての検知部２を囲むようにして支持体１に取り付けられている。
【００１６】
保護カバー６はその下端６ａが最も浅い水深を測定する検知部２Ｘの下端面２ａと同じ位置となるまで少なくとも延在し、水面ｍに波紋が生じた際にその波紋を遮断し、検知部２の測定面に対して波紋による水の付着を防ぎ、波紋の影響を受けないようにしている。
【００１７】
保護カバー６は、全ての検知部２を囲むことが可能であれが、上述した円筒体で限定されず、いずれの形状を有する筒体であってもよい。また、保護カバー６は、少なくとも測定面の周囲に配置され、測定面を囲んで水面ｍの波紋から保護することができるものであれば、上述した構造に限定されない。
【００１８】
保護カバー６の上部には、保護カバー６に囲まれた空間に開口する連通部７が形成され、測定時に保護カバー６の下側から保護カバー６に囲まれた空間内に水を浸入し易くしている。
【００１９】
上述した水深測定装置は、図２に示すように、水膜を形成した路面８に配置して水深を測定するが、測定面の高さを段階的に変えた複数の検知部２の測定面の周囲に水面ｍの波紋を遮るための保護カバー６を配置したので、水面ｍに波紋が生じた際にその波紋を保護カバー６により遮断し、検知部２の測定面に波紋による水の付着を防いで水面ｍの波紋の影響を排除することが可能になる。従って、水深の測定精度を高めることができる。
【００２０】
図４，５は、本発明の水深測定装置の他の例を示し、上述した実施形態において、上記脚部５を設けずに、保護カバー６を脚部５の下端５ａとなる位置まで長く延在させ、脚部５を兼用するようにしたものである。
【００２１】
保護カバー６は、最も浅い水深を測定する検知部２Ｘの測定面から該測定面が測定する水深の距離だけ延在し、水膜を形成した路面８に接する下端６ａを測定の基準点（０）にしている。保護カバー６の下端部には、保護カバー６に囲まれた空間内に水が浸入可能な切欠き部９が形成されている。切欠き部９は、その高さが切欠き部８に対面する検知部２の測定面以下となるようにしてある。
【００２２】
保護カバー６の周方向に沿って測定した切欠き部９の総長さは、保護カバー６の周長の１０％以上となるようにするのが、保護カバー６内への水の浸入を容易する上でよい。切欠き部９の総長さの上限は、特に限定されず、脚部の機能を発揮できる範囲であればよい。
【００２３】
脚部５を設けずに、このように保護カバー６を構成してもよく、上記と同様の効果を得ることができる。
【００２４】
本発明において、上記連通部７は、水深が浅い場合の測定に用いるものには、必ずしも設ける必要はなく、また連通部７を設ける場合には、上述した保護カバー６に代えて、支持体１に形成してもよく、少なくともいずれか一方に設けることができる。
【００２５】
支持体１、検知部２、保護カバー６を構成する材料としては、透明材料であればいずれのものを用いてもよく、例えば、アクリル樹脂などの樹脂材料を好ましく使用することができる。
【００２６】
また、支持体１の上面１ａには、２点鎖線で示すように、水深測定装置を配置した際に該装置の水平度を調べる有水準器１０を設けるようにしてもよい。装置をセットする路面８に多少の凹凸があった際に、水準器１０により水深測定装置を水平状態、即ち、水平な水面ｍに対して各検知部２の測定面を平行な状態に維持して測定することができるので、測定精度を一層向上することができる。
【００２７】
本発明は、上述したように測定面が水に接触した際に光の透過度が変化して透明体の見え方が変わる原理を利用した水深測定装置に好ましく用いることができるが、それに限定されず、下端面を水深の測定面にし、該測定面の高さを段階的に変えた複数の検知部を有する水深測定装置であれば、いずれにも好適に用いることができる。
【００２８】
【発明の効果】
上述したように本発明は、検知部の測定面の周囲に水面の波紋を遮るための保護カバーを配置したので、水面の波紋の影響を抑えて測定精度を高めることができる。
【図面の簡単な説明】
【図１】本発明の水深測定装置の一実施形態を示す平面図である。
【図２】図１の正面図である。
【図３】図１の要部断面図である。
【図４】本発明の水深測定装置の他の実施形態を示す平面図である。
【図５】図４の正面図である。
【符号の説明】
１  支持体                        ２，２Ｘ  検知部
２ａ  下端面（測定面）            ３  柱状体
５  脚部                          ５ａ  下端
６  保護カバー                    ６ａ  下端
７  連通部                        ８  路面
９  切欠き部                      １０  水準器
ｎ  水面
【図１】
2004333180.tif 000003
【図２】
2004333180.tif 000004
【図３】
2004333180.tif 000005
【図４】
2004333180.tif 000006
【図５】
2004333180.tif 000007